(57)【特許請求の範囲】
【請求項１】
光学的に記録された記録情報を記録媒体上において担持する記録ピットを用いて、外部から視認可能な視認可能部分を当該記録媒体上に形成する情報記録装置において、
前記記録ピットを前記記録媒体上に形成するための光ビームを駆動信号に基づいて出射する出射手段と、
前記駆動信号を生成する駆動手段と、
前記視認可能部分に形成される前記記録ピットである視認記録ピットを前記記録媒体上に形成する際の前記光ビームの強度及び前記駆動信号の波形を示す視認出射条件と、前記視認記録ピット以外の前記記録ピットを前記記録媒体上に形成する際の前記光ビームの強度及び前記駆動信号の波形を示す通常出射条件であって前記強度及び前記波形の夫々について前記視認出射条件とは異なる通常出射条件と、を、前記記録媒体上における前記視認可能部分の位置又は大きさの少なくともいずれか一方を示す視認可能部分情報に基づいて切り換えつつ前記駆動信号を生成するように前記駆動手段を制御する制御手段と、
を備え、
前記記録ピットの大きさが前記記録情報の内容に基づいて変化することにより当該記録ピットに当該記録情報が担持されると共に、前記波形はパルス波形であり、
前記視認出射条件としての前記パルス波形及び前記通常出射条件としての前記パルス波形の夫々は、少なくとも最も小さい前記記録ピットを前記記録媒体上に形成する際の最大の記録パワーに基づき決定されたパルス波形と最小の記録パワーに基づき決定されたパルス波形であることを特徴とする情報記録装置。
【請求項２】
請求項１に記載の情報記録装置において、
前記制御手段は、前記視認出射条件を適用した前記駆動信号の生成と、前記通常出射条件を適用した前記駆動信号の生成と、の切り換えを、前記記録媒体への前記記録情報の記録において前記記録ピットを形成しない期間に行うように前記駆動手段を制御することを特徴とする情報記録装置。
【請求項３】
請求項１又は２に記載の情報記録装置において、
前記視認出射条件としての前記パルス波形と、前記通常出射条件としての前記パルス波形と、の間においては、前記視認出射条件としての前記強度と、前記通常出射条件としての前記強度と、の差異に対応してパルス幅が相違していることを特徴とする情報記録装置。
【請求項５】
請求項１から３のいずれか一項に記載の情報記録装置において、
前記視認出射条件としての前記強度は前記記録ピットを形成する際の最適強度よりも強い強度であり、
前記通常出射条件としての前記強度は前記最適強度よりも弱い強度であることを特徴とする情報記録装置。
【請求項６】
請求項１から３のいずれか一項に記載の情報記録装置において、
前記視認出射条件としての前記強度は前記記録ピットを形成する際の最適強度よりも弱い強度であり、
前記通常出射条件としての前記強度は前記最適強度よりも強い強度であることを特徴とする情報記録装置。
【請求項７】
請求項３または５に記載の情報記録装置において、
前記視認出射条件としての前記強度が前記通常出射条件としての前記強度よりも強い強度であり、
前記視認出射条件としての前記パルス波形におけるパルス幅が前記通常出射条件としての前記パルス波形におけるパルス幅よりも小さいパルス幅であることを特徴とする情報記録装置。
【請求項８】
請求項３または６に記載の情報記録装置において、
前記視認出射条件としての前記強度が前記通常出射条件としての前記強度よりも弱い強度であり、
前記視認出射条件としての前記パルス波形におけるパルス幅が前記通常出射条件としての前記パルス波形におけるパルス幅よりも大きいパルス幅であることを特徴とする情報記録装置。
【請求項９】
請求項１乃至３、及び５乃至８のいずれか一項に記載の情報記録装置において、
前記記録情報の前記記録媒体への記録前において前記光ビームを前記記録媒体に照射することにより前記視認出射条件及び前記通常出射条件を夫々別個に設定する設定手段を更に備えることを特徴とする情報記録装置。
【請求項１０】
光学的に記録された記録情報を記録媒体上において担持する記録ピットを用いて、外部から視認可能な視認可能部分を当該記録媒体上に形成する情報記録装置であって、前記記録ピットを前記記録媒体上に形成するための光ビームを駆動信号に基づいて出射する出射手段と、前記駆動信号を生成する駆動手段と、を備える情報記録装置に含まれるコンピュータを、請求項１乃至３、及び５乃至８のいずれか一項に記載の制御手段として機能させることを特徴とする情報記録用プログラム。
【発明の詳細な説明】
【技術分野】
【０００１】
本願は、情報記録装置及び情報記録用プログラムの技術分野に属し、より詳細には、光学的に記録された記録情報を担持する記録ピットを用いて、文字、画像等の外部から視認可能な視認可能部分を形成する情報記録装置及び情報記録用プログラムの技術分野に属する。
【背景技術】
【０００２】
近年、ＣＤ（Compact Disc）又はＤＶＤ（Digital Versatile Disc）等の光ディスクが記録可能な記録媒体として広く一般化している。【０００３】
そして、当該光ディスクに対する情報記録の応用例として、微小な記録ピットを情報記録面に形成して情報を記録することに加えて、例えば下記特許文献１又は２に例示されるように、情報記録面における可視光の反射率の違いを用いて、人が視認可能な画像又は文字（以下、当該画像又は文字を単に可視情報と称する）を当該情報記録面に書き込むことが行われている。この場合、当該可視情報を用いて例えばその光ディスクに記録されている情報の名称等を書き込めば、別途ラベル等を情報記録面と反対の面に貼り付ける等の手間が省けたり、或いは実際に光ディスクに記録されている情報の名称とラベル等に表示されている情報の名称とが齟齬することを防止することができる等の利点がある。【０００４】
ここで、下記特許文献１又は２に記載されている従来技術では、記録トラックが形成される部分以外の部分を上記可視情報の記録に充てていたため、本来記録ピットを用いて記録されるべき情報の記録特性（再生特性）に悪影響を与えたり、或いは可視情報専用の領域を情報記録用の領域とは別個に設ける必要があることで光ディスク自体としての本来の記録容量を低下させる場合があるといった問題点があった。【０００５】
そこで、これらの問題点に鑑み、例えば下記特許文献３に記載されているように、光ディスク上において情報を担持している上記記録ピットの形状を可視情報を記録する領域とそれ以外の領域とで変化させることで、本来光ディスクに記録されるべき情報が記録される領域と上記可視情報が記録される領域とを当該光ディスク上において重複させることも行われていた。ここで、当該記録ピットの形状の変化は、具体的には、可視情報を記録する領域とそれ以外の領域とで記録用の光ビームの強度を切り換えることで実現されている。
【特許文献１】特開２００５−９２９３５
【特許文献２】特開２００５−１８２８５９
【特許文献３】特開平６−３６５１４号公報（第４図）
【発明の開示】
【発明が解決しようとする課題】
【０００６】
しかしながら、上記特許文献３に記載された技術では、本来記録されるべき情報に対応する記録ピットを形成することが可能な一定の範囲内で光ビームの強度を変化させることとなるため、光ディスク自体の記録特性に起因して当該範囲が狭い場合等には、本来の記録特性に影響を与える（すなわち、記録特性の維持のために許容される光ビームの強度変化の範囲を越えてその強度が変化する）場合があると言う問題点があった。【０００７】
また、当該強度変更が可能な範囲内で当該強度を変化させるのでは、可視情報として視認できる程度に反射率を変えることができず、結果として可視情報が視認できる程度には明確に書き込めない場合があると言う問題点もあった。【０００８】
そこで、本願は上記の各問題点に鑑みて為されたもので、その課題の一例は、光ディスク等の記録媒体上の記録領域を無駄にすることなく良好な記録特性をもって記録情報を当該記録媒体に記録することができると共に、視認可能部分をも明瞭に当該記録媒体上に形成することが可能な情報記録装置及び当該情報記録処理に用いられる情報記録用プログラムを提供することにある。
【課題を解決するための手段】
【０００９】
上記の課題を解決するために、請求項１に記載の発明は、光学的に記録された記録情報を光ディスク等の記録媒体上において担持する記録ピットを用いて、外部から視認可能な視認可能部分を当該記録媒体上に形成する情報記録装置において、前記記録ピットを前記記録媒体上に形成するための光ビームを駆動信号に基づいて出射する出射部等の出射手段と、前記駆動信号を生成する記録条件制御部等の駆動手段と、前記視認可能部分に形成される前記記録ピットである視認記録ピットを前記記録媒体上に形成する際の前記光ビームの強度及び前記駆動信号の波形を示す視認出射条件と、前記視認記録ピット以外の前記記録ピットを前記記録媒体上に形成する際の前記光ビームの強度及び前記駆動信号の波形を示す通常出射条件であって前記強度及び前記波形の夫々について前記視認出射条件とは異なる通常出射条件と、を、前記記録媒体上における前記視認可能部分の位置又は大きさの少なくともいずれか一方を示す視認可能部分情報に基づいて切り換えつつ前記駆動信号を生成するように前記駆動手段を制御する制御信号生成部等の制御手段と、を備える。【００１０】
上記の課題を解決するために、請求項１０に記載の発明は、光学的に記録された記録情報を光ディスク等の記録媒体上において担持する記録ピットを用いて、外部から視認可能な視認可能部分を当該記録媒体上に形成する情報記録装置であって、前記記録ピットを前記記録媒体上に形成するための光ビームを駆動信号に基づいて出射する出射部等の出射手段と、前記駆動信号を生成する記録条件制御部等の駆動手段と、を備える情報記録装置に含まれるコンピュータを、請求項１から８のいずれか一項に記載の制御手段として機能させる。
【図面の簡単な説明】
【００１１】
【図１】第１実施形態に係る情報記録装置の概要構成を示すブロック図である。
【図２】第１実施形態に係る情報記録装置の細部構成を示すブロック図である。
【図３】第１実施形態に係る情報記録装置における記録処理を示すフローチャート（Ｉ）である。
【図４】第１実施形態に係る情報記録装置における記録処理を示すフローチャート（ＩＩ）である。
【図５】第１実施形態に係る情報記録装置における記録処理に供される駆動信号の波形を例示する図である。
【図６】第１実施形態に係る情報記録装置における記録処理に供される光ビームの記録パワー及びパルス幅を例示する図であり、（ａ）は記録パワーとジッター値の関係を示す図であり、（ｂ）はその変化を示すグラフ図である。
【図７】第１実施形態に係る情報記録装置における記録処理におり記録情報の記録及び視認可能部分の形成が行われた光ディスクの具体例を示す図である。
【図８】第２実施形態に係る情報記録装置の細部構成を示すブロック図である。
【図９】第２実施形態に係る情報記録装置における記録処理を示すフローチャートである。
【図１０】変形形態に係る情報記録装置の概要構成を示すブロック図である。
【符号の説明】
【００１２】
１  駆動部
２  出射部
３  受光部
４  スライダ部
５  再生特性測定部
６  半径位置検出部
７  アドレス情報検出部
８  角度情報生成部
９  メモリ
１０  制御信号生成部
１１  制御位置演算部
１２  記録パワー選択部
１３、２０  記録条件制御部
１４  記録データ容量確認部
１５  システム制御部
１３Ａ  最大記録パワー設定部
１３Ｂ  最小記録パワー設定部
１３Ｃ、２０Ｃ  第２ストラテジ設定部
１３Ｄ、２０Ｄ  第１ストラテジ設定部
１３Ｅ、２０Ｅ  スイッチ
２０Ａ  第１ストラテジ用記録パワー設定部
２０Ｂ  第２ストラテジ用記録パワー設定部
３０  アドレス位置算出部
１００、２００  情報記録装置
Ｓ０、Ｓ１、Ｓ２  パルス
Ａ２  視認可能部分
Ａ１、Ａ３  未記録領域
Ｂ  光ビーム
ＤＫ  光ディスク
ＰＵ  ピックアップ
【発明を実施するための最良の形態】
【００１３】
次に、本願を実施するための最良の形態について、図面に基づいて説明する。なお、以下に説明する実施形態は、光学的に情報を記録することが可能な記録媒体としての光ディスク上に記録ピットを形成することにより情報を記録すると共に、当該記録ピットの形状の変化に起因する反射率の変化により、光ディスクの外部から視認可能な視認可能部分（上記可視情報を構成する視認可能部分）を当該光ディスクの情報記録面に形成する情報記録装置に対して本願を適用した場合の実施の形態である。【００１４】
（Ｉ）第１実施形態
始めに、本願に係る第１実施形態について、図１乃至図６を用いて説明する。【００１５】
なお、図１は第１実施形態に係る情報記録装置の概要構成を示すブロック図であり、図２は当該情報記録装置の細部構成を示すブロック図であり、図３及び図４は当該情報記録装置の動作を示すフローチャートであり、図５乃至図７は当該情報記録装置の作用効果を例示する図である。【００１６】
図１に示すように、第１実施形態に係る情報記録装置１００は、上記記録可能な光ディスクＤＫが装填される駆動部１と、受光部３及び出射手段としての出射部２を含むピックアップＰＵと、スライダ部４と、再生特性測定部５と、半径位置検出部６と、アドレス情報検出部７と、角度情報生成部８と、メモリ９と、制御手段としての制御信号生成部１０と、制御位置演算部１１と、記録パワー選択部１２と、駆動手段としての記録条件制御部１３と、記録データ容量確認部１４と、システム制御部１５と、により構成されている。【００１７】
次に、全体動作を説明する。【００１８】
先ず、駆動部１は、システム制御部１５からの制御信号Ｓcに基づき、当該駆動部１に固定されている光ディスクＤＫを回転させると共に、当該光ディスクの回転角度を示す回転角度情報Ｓaを生成して角度情報生成部８へ出力する。【００１９】
一方、半導体レーザ等よりなる出射部２は、記録条件制御部１３からの駆動信号Ｓp（後述するようにパルス状の波形を有している）により示される記録パワー（記録強度）を有する光ビームＢを当該光ディスクＤＫの情報記録面に照射して上記記録ピットを形成する処理等を行う。【００２０】
光ディテクタ等からなる受光部３は、光ビームＢの上記情報記録面からの反射光を受光し、当該受光した反射光の強度に対応する受光信号Ｓdを生成して再生特性測定部５及びアドレス情報検出部７に出力する。【００２１】
なお、ピックアップＰＵ自体は、システム制御部１５からの制御信号Ｓcに基づくスライダ部４の動作により光ディスクＤＫの半径方向に移動する。このとき、スライダ部４は、半径位置検出部６においてピックアップＰＵの光ディスクＤＫの半径方向の位置を検出する際に用いられる位置信号Ｓposを生成して当該半径位置検出部６に出力する。【００２２】
そして、半径位置検出部６は、当該位置信号Ｓposに基づき、ピックアップＰＵの光ディスクＤＫの半径方向の位置を示す半径位置情報Ｓrposを生成し、制御信号生成部１０及び制御位置演算部１１に出力する。【００２３】
他方、受光信号Ｓdが入力されているアドレス情報検出部７は、当該受光信号Ｓdに基づき、現在光ビームＢが照射されている光ディスクＤＫ上のプリアドレスを検出し、当該検出された位置を示すプリアドレス情報Ｓadrを生成して角度情報生成部８に出力する。【００２４】
これにより、角度情報生成部８は、当該プリアドレス情報Ｓadr及び上記角度情報Ｓaに基づき、現在光ビームＢが照射されている光ディスクＤＫ上の位置の、当該光ディスクＤＫにおいて予め設定されている基準位置からの角度（光ディスクＤＫの中心を中心とする角度）を示す角度情報Ｓangを生成して制御信号生成部１０へ出力する。【００２５】
そして、制御信号生成部１０は、当該角度情報Ｓang及び上記半径位置情報Ｓrposに基づき、光ビームＢの光ディスクＤＫ上の照射位置をピックアップＰＵ自体の光ディスクＤＫの半径方向の位置と共に常に認識する。これにより、制御信号生成部１０は、制御位置演算部１１から出力されてくる後述する制御位置情報Ｓcalと上記認識している光ビームＢの照射位置とに基づき、上記駆動信号Ｓpの振幅及びパルス波形を変更するタイミング等を示す記録条件制御信号Ｓcrを生成し、記録条件制御部１３に出力する。【００２６】
次に、再生特性測定部５は、可視情報の書き込み並びに情報の記録（すなわち、本願に係る記録ピットの形成）を実際に行う前に実行されるＯＰＣ（Optical Power Control）動作時に出力されてくる受光信号Ｓdに基づき、当該ＯＰＣ動作時に光ディスクＤＫに記録されたＯＰＣ用情報の再生特性を検出し、再生特性信号Ｓppとしてメモリ９に出力する。【００２７】
ここで、当該ＯＰＣ動作とは、上記実際の書き込み等に用いられる光ビームＢの記録パワー及びパルス幅（すなわち、駆動信号Ｓpの振幅に相当する記録パワー及び当該駆動信号Ｓpのパルス幅に相当するパルス幅）を設定するために光ディスクＤＫに対して行われる事前の試し書き動作であり、予め設定された上記ＯＰＣ用情報を実際に光ディスクＤＫに記録し、その後当該ＯＰＣ用情報を検出して再生することにより、当該ＯＰＣ用情報記録時における光ビームＢの記録パワー及びパルス幅等を評価する動作である。【００２８】
これにより、メモリ９は、上記ＯＰＣ動作時に記録条件制御部１３から出力されてくる駆動信号Ｓpにおける振幅及びパルス幅と、それに対応する上記再生特性信号Ｓppの内容と、を対応付け、光ビームＢの記録パワー及びパルス幅に関する評価表を読み出し可能に記憶する。【００２９】
そして、記録パワー選択部１２は、メモリ９に記憶されている上記評価表をメモリ情報Ｓmとして必要に応じて読み出し、上記ＯＰＣ用情報の再生特性（より具体的には、例えば当該ＯＰＣ用情報の再生時に含まれているジッタの量）が予め設定されている判定基準に照らして良好と判断される範囲における最小の記録パワー並びに最大の記録パワーを選択し、パワー選択情報Ｓselとして記録条件制御部１３に出力する。【００３０】
なお、当該パワー選択情報Ｓselには、上記最小の記録パワーを示す最小パワー選択情報Ｓseliと上記最大の記録パワーを示す最大パワー選択情報Ｓselaが含まれている。また、当該最小パワー選択情報Ｓseliには、当該最小の記録パワーを示す情報の他に当該最小の記録パワーに対応して変更すべき駆動信号Ｓpのパルス幅（すなわち、光ビームＢのパルス幅）を示す情報も含まれている。更に、当該最大パワー選択情報Ｓselaには、当該最大の記録パワーを示す情報の他に当該最大の記録パワーに対応して変更すべき駆動信号Ｓpのパルス幅を示す情報も含まれている。【００３１】
ここで、当該最大記録パワーと最小記録パワーに夫々対応してパルス幅が変更される駆動信号Ｓpのパルスは、例えば光ディスクＤＫがＤＶＤである場合、最小の記録ピットに相当するパルス幅、又は最小の記録ピット及び二番目に小さい記録ピット双方に夫々相当する二つのパルス幅、のいずれか一方で足りる。【００３２】
これにより、記録条件制御部１３は、実際の上記記録ピットの形成時において、上記ＯＰＣ動作時にパワー選択情報Ｓselにより選択された二種類の記録パワー及びパルス幅のうち、いずれか一方の記録パワー及びパルス幅を用いて光ビームＢを出射すべく、上記記録ピットを形成して光ディスクＤＫに記録させるべき記録情報Ｓrに対して変調処理等を施し、上記駆動信号Ｓpを生成してピックアップＰＵ内の出射部２にのみ出力する。【００３３】
なお、記録ピット形成時における当該記録パワー及びパルス幅の選択は、制御信号生成部１０から出力されてくる記録条件制御信号Ｓcrにより示されるタイミングで実行される。【００３４】
また、上記ＯＰＣ動作時においては、記録条件制御部１３は、当該ＯＰＣ動作時において段階的に変更すべき光ビームＢの強度を示す上記駆動信号Ｓpを、実際に記録すべき記録情報Ｓrとは無関係に生成し、上記出射部２及びメモリ９に出力する。【００３５】
一方、記録データ容量確認部１４は、実際に光ディスクＤＫに記録すべき上記記録情報Ｓr全体の情報量を確認し、当該情報量を示す確認情報Ｓvolを制御位置演算部１１に出力する。【００３６】
これにより、制御位置演算部１１は、上記半径位置情報Ｓrpos、可視情報として光ディスクＤＫに記録情報Ｓrと共に記録すべき画像等の情報である表示画像情報Ｓv及び上記確認情報Ｓvolに基づき、当該可視情報を形成すべく光ディスクＤＫ上の領域（部分）を特定すると共に、当該可視情報を形成する際に光ビームＢの記録パワー及びパルス幅を切り換える光ディスクＤＫ上の位置（光ディスクＤＫの半径方向の位置及び上記基準位置からの角度により示される位置）を示す上記制御位置情報Ｓcalを生成して制御信号生成部１０に出力し、当該可視情報の書き込み及び記録情報Ｓrの記録に供させる。【００３７】
これと並行して、システム制御部１５は、上記各構成部材の動作を統括制御すべく、当該統括制御のための制御信号Ｓcを上記各構成部材毎に生成し、夫々出力する。また、情報記録装置１００全体の動作状態は図示しない表示部において表示され、更に情報記録装置１００において実行させるべき動作を指示するための操作は、図示しない操作部において実行される。そして、当該操作に基づき、システム制御部１５が上記統括制御を実行する。【００３８】
次に、本願に係る上記記録条件制御部１３の細部構成について、図２を用いて説明する。【００３９】
図２に示すように、第１実施形態に係る記録条件制御部１３は、最大記録パワー設定部１３Ａと、最小記録パワー設定部１３Ｂと、第２ストラテジ設定部１３Ｃと、第１ストラテジ設定部１３Ｄと、スイッチ１３Ｅと、により構成されている。【００４０】
この構成において、最小記録パワー設定部１３Ｂには、上記記録パワー選択部１２から出力されてくる最小パワー選択情報Ｓseliにより示される光ビームＢの最小記録パワーが記憶され、更に第１ストラテジ設定部１３Ｄには、当該最小パワー選択情報Ｓseliにより示される駆動信号Ｓpのパルス幅を示す情報が記憶される。【００４１】
また、最大記録パワー設定部１３Ａには、上記記録パワー選択部１２から出力されてくる最大パワー選択情報Ｓselaにより示される光ビームＢの最大記録パワーが記憶され、更に第２ストラテジ設定部１３Ｃには、当該最大パワー選択情報Ｓselaにより示される駆動信号Ｓpのパルス幅を示す情報が記憶される。【００４２】
一方、スイッチ１３Ｅは、制御信号生成部１０から出力されてくる記録条件制御信号Ｓcrに基づき、記録情報Ｓrの出力先を切り換え、第１ストラテジ設定部１３Ｄ又は第２ストラテジ設定部１３Ｃのいずれか一方に出力する。【００４３】
なお、当該切り換えのタイミングとして具体的には、後述する記録情報Ｓrの記録処理の実施中において、それを担持する記録ピットを形成しない期間に当該切り換えを行うことが望ましい。【００４４】
そして、スイッチ１３Ｅを介して記録情報Ｓrが第１ストラテジ設定部１３Ｄに出力されたときは、当該第１ストラテジ設定部１３Ｄは、当該記録情報Ｓrに対応して出射部２を駆動するためのパルス波形を有するストラテジ信号Ｓtr1を生成する。このとき、当該ストラテジ信号Ｓtr1におけるパルス幅は、その時に第１ストラテジ設定部１３Ｄに記憶されている駆動信号Ｓpのパルス幅に相当するように設定される。【００４５】
これにより、最小記録パワー設定部１３Ｂは、第１ストラテジ設定部１３Ｄから出力されて来たストラテジ信号Ｓtr1における振幅を、その時に最小記録パワー設定部１３Ｂに記憶されている記録パワーに相当する振幅に変更し、上記最小パワー選択情報Ｓseliにより示されていた記録パワーに相当する振幅を有する駆動信号Ｓpを生成して上記出射部２に出力する。【００４６】
他方、スイッチ１３Ｅを介して記録情報Ｓrが第２ストラテジ設定部１３Ｃに出力されたときは、当該第２ストラテジ設定部１３Ｃは、当該記録情報Ｓrに対応して出射部２を駆動するためのパルス波形を有するストラテジ信号Ｓtr2を生成する。このとき、当該ストラテジ信号Ｓtr2におけるパルス幅は、その時に第２ストラテジ設定部１３Ｃに記憶されている駆動信号Ｓpのパルス幅に相当するように設定される。【００４７】
これにより、最大記録パワー設定部１３Ａは、第２ストラテジ設定部１３Ｃから出力されて来たストラテジ信号Ｓtr2における振幅を、その時に最大記録パワー設定部１３Ａに記憶されている記録パワーに相当する振幅に変更し、上記最大パワー選択情報Ｓselaにより示されていた記録パワーに相当する振幅を有する駆動信号Ｓpを生成して上記出射部２に出力する。【００４８】
次に、上述した構成を備える情報記録装置１００において実行される、本願に係る可視情報の記録処理及び記録情報Ｓrの記録処理について、具体的に図３乃至図５を用いて説明する。【００４９】
本願に係る各情報の記録処理においては、先ず、光ディスクＤＫの情報記録面において可視情報に相当する視認可能部分を形成する範囲を特定する。【００５０】
すなわち、図３に示すように、記録情報Ｓrに併せた可視情報の記録が開始されると、最初に記録データ容量確認部１４において光ディスクＤＫに記録すべき記録情報Ｓr全体の情報量を確認する（ステップＳ１）と共に、例えば使用者により設定される当該記録情報Ｓrの光ディスクＤＫ上における記録開始位置を、受光信号Ｓdに基づく当該光ディスクＤＫ上において検出する（ステップＳ２）。【００５１】
そして、夫々検出された記録開始位置及び情報量に基づき、光ディスクＤＫ上において記録情報Ｓrが記録される領域を算出する（ステップＳ３）。【００５２】
次に、当該領域内に上記画像情報Ｓvに相当する可視情報（視認可能部分）が収まるか否か、すなわち、当該領域の面積が当該視認可能部分の面積以上であるか否かを確認する（ステップＳ４）。そして、当該領域の面積が当該視認可能部分の面積以上であるときは（ステップＳ４；ＹＥＳ）、記録情報Ｓrを光ディスクＤＫ上において担持する記録ピットをもって画像情報Ｓvに相当する視認可能部分を形成することが可能であるとして、当該画像情報Ｓvに対応する上記制御位置情報Ｓcalを制御位置演算部１１において生成し（ステップＳ５）、後述する記録情報Ｓrの記録処理に移行する。【００５３】
一方、ステップＳ４の判定において、記録情報Ｓrが記録される領域の面積が視認可能部分の面積未満であるときは（ステップＳ４；ＮＯ）、記録情報Ｓrを光ディスクＤＫ上において担持する記録ピットをもって画像情報Ｓvに相当する視認可能部分を形成することができないこととなるので、次に、記録情報Ｓrの光ディスクＤＫ上における記録位置を光ディスクＤＫ上において変更可能か否かを記録情報Ｓr全体の情報量等に基づいて確認し（ステップＳ７）、その変更が可能であるときは（ステップＳ７；ＹＥＳ）、再度当該記録情報Ｓrの記録開始位置を再検出し（ステップＳ６）上記ステップＳ３の処理に戻って上述して来た処理を当該新たな記録開始位置について繰り返す。【００５４】
他方、ステップＳ７の判定において、記録情報Ｓrの光ディスクＤＫ上の記録位置を変更することができない場合は（ステップＳ７；ＮＯ）、最早記録情報Ｓrの記録処理に併せて視認可能領域を形成することは不可能であるので、その旨を図示しない表示部等において表示する等して使用者に告知すると共に（ステップＳ８）、以降当該記録情報Ｓrのみについて記録処理を実行すべく、後述する図４に示す処理に移行する。【００５５】
次に、図３に示す視認可能部分の形成範囲の特定後に実行される実際の記録処理について説明する。【００５６】
図４に示すように、当該記録処理においては、始めに、実際に当該記録処理に供される光ディスクＤＫに対して従来と同様の処理により上記ＯＰＣ動作を実行し（ステップＳ１０）、当該ＯＰＣ動作に用いられたＯＰＣ用情報の再生特性を、例えば当該ＯＰＣ用情報を再生した信号内に含まれているジッターの量を検出する等して再生特性測定部５において確認する（ステップＳ１１）。そして、予め設定された許容範囲内の再生特性が得られる光ビームＢの記録パワーの範囲を特定する（ステップＳ１２）。【００５７】
次に、ステップＳ１２の処理において特定された範囲内における最大の記録パワーを第１実施形態に係る光ビームＢの最大記録パワーとし、更に当該範囲内における最小の記録パワーを第１実施形態に係る光ビームＢの最小記録パワーとして記録パワー選択部１２において選択し（ステップＳ１３）、夫々を示す上記パワー選択情報Ｓselを生成して記録条件制御部１３に出力する。【００５８】
次に、選択された各記録パワーに対応して予め設定されているパルス幅の変更度合いを参照することで、上記最小記録パワーに対応する駆動信号Ｓpのパルス幅（図４において「第１ストラテジ」と示す）及び上記最大記録パワーに対応する駆動信号Ｓpのパルス幅（図４において「第２ストラテジ」と示す）を夫々設定し、当該設定されたパルス幅を夫々示す上記パワー選択情報Ｓselを生成して記録条件制御部１３に出力する（ステップＳ１４）。【００５９】
以上の動作により、記録情報Ｓrの記録処理と可視情報に相当する視認可能部分の形成とを併せ実行するための記録パワー及びパルス幅の設定が終了する。ここで、当該視認可能部分を形成する際の光ビームＢを上記最小記録パワー及びそれに対応するパルス幅とするように設定する（この場合は、視認可能部分以外の部分を形成する際の光ビームＢは上記最大記録パワー及びそれに対応するパルス幅とされることになる）か、或いは、当該視認可能部分を形成する際の光ビームＢを上記最大記録パワー及びそれに対応するパルス幅とするように設定する（この場合は、視認可能部分以外の部分を形成する際の光ビームＢは上記最小記録パワー及びそれに対応するパルス幅とされることになる）か、は、情報記録装置１００の製造時等において任意に選択することができるものである。【００６０】
なお、最大記録パワー及びそれに対応するパルス幅と、最小記録パワー及びそれに対応するパルス幅と、の具体例としては、例えば図５に示すように、最大記録パワーＰmaxに対応する駆動信号Ｓpの最小パルスＳ２（図５において一点鎖線で示す）のパルス幅を、従来技術における駆動信号Ｓpに相当する駆動信号のパルスＳ０（図５において破線で示す）のパルス幅より小さくすることが好ましく、更に最小記録パワーＰminに対応する駆動信号Ｓpの最小パルスＳ１（図５において実線で示す）のパルス幅を、当該従来技術における駆動信号のパルスＳ０のパルス幅より大きくすることが好ましい。【００６１】
より具体的な値として、例えば図６（ａ）に例示するような強度とジッター値との関係が上記特許文献３に示す従来技術において得られている場合、図５に示すように記録パワーに応じてパルス幅を変えることで、再生特性の改善（ジッター値の低減）を得ることができる。そして、再生特性としての許容範囲がジッター値に換算して９％以下と予め設定されている場合、第１実施形態の構成によれば、最大記録パワー値として１８．０ミリワットを用いることができ、また最小記録パワー値として１４．５ミリワットを用いること（その差は３．５ミリワット）ができる。ここで、最大記録パワー値と最小記録パワー値との差が大きいほど可視情報としての視認可能部分を他の部分に対して鮮明に形成することができることから、従来技術の場合（図６に示す例では、最大記録パワー値としては１７．０ミリワット、最小記録パワー値としては１５．０ミリワットを夫々採用し得る（その差は２．０ミリワットに過ぎない））に比して、予め設定されている記録特性（再生特性）を維持しつつより鮮明に可視情報を記録情報Ｓrと共に記録し得ることとなる。【００６２】
なお、本願発明者らの実験によれば、図６（ｂ）に例示するように、第１実施形態に係るパルス幅（図６（ｂ）において、最小記録パワーに対応するパルス幅を「■第１ＳＴＧ」、最大記録パワーに対応するパルス幅を「▲第２ＳＴＧ」と夫々示す）を採用することで、夫々図６（ｂ）に示すような記録特性（再生特性）の改善を図ることができることが判明している。【００６３】
また、図５に示す例では、駆動信号Ｓpの最小パルスのパルス幅を本願に基づいて変更する場合について説明したが、これに限らず、当該最小パルスに加えて、又は当該最小パルスに代えて、当該最小パルスより長いパルスのパルス幅を本願に基づいて変更するように構成することもできる。【００６４】
上記ステップＳ１０乃至Ｓ１４の動作により第１実施形態に係る最大記録パワー及びパルス幅並びに最小記録パワー及びパルス幅が設定された後は、記録情報Ｓrの情報記録装置１００への入力を開始し（ステップＳ１５）、当該記録情報Ｓrの記録処理を開始する。このときの光ビームＢの記録パワー及びパルス幅は、上記最大記録パワー及びそれに対応するパルス幅か、上記最小記録パワー及びそれに対応するパルス幅か、のいずれか一方であることになる。【００６５】
そして、当該記録情報Ｓrの記録処理を行いつつ、光ビームＢの照射位置が、上記ステップＳ５において求められた光ビームＢの記録パワー及びパルス幅を切り換える半径位置に到達したか否かを監視する（ステップＳ１６）。これにより、当該照射位置が未だ記録パワー及びパルス幅を切り換えるべき半径位置に到達していないときは（ステップＳ１６；ＮＯ）、記録すべき記録情報Ｓrの全てを記録し終わったか否かを監視しつつ記録情報Ｓrの記録処理を継続し（ステップＳ１９）、当該記録処理が全て終了したときは（ステップＳ１９；ＹＥＳ）、第１実施形態に係る全ての記録処理を終了すると共に、未だ記録情報Ｓrを全て記録し終わっていないときは（ステップＳ１９；ＮＯ）、上記ステップＳ１６に戻って記録情報Ｓrの記録処理を継続する。【００６６】
一方、ステップＳ１６の判定において当該照射位置が記録パワー及びそれに対応するパルス幅を切り換える半径位置に到達したときは（ステップＳ１６；ＹＥＳ）、当該半径位置に対応する角度情報を制御位置演算部１１からの上記制御位置情報Ｓcalにより確認し（ステップＳ１７）、現在の照射位置に対応する角度位置と比較しつつ、記録パワー及びそれに対応するパルス幅を切り換える角度において当該切換を行って（ステップＳ１８）、記録情報Ｓrの記録を継続すべく上記ステップＳ１９に移行し、これ以後、上記ステップＳ１９を経てステップＳ１６に係る処理が記録終了（ステップＳ１９；ＹＥＳ）となるまで繰り返される。なお、この繰り返し処理においては、同一の半径位置であっても、角度の変化に応じて記録条件が複数回（通常は偶数回）変更される場合もあり得ることになる。【００６７】
以上説明したように、第１実施形態に係る情報記録装置１００の動作によれば、視認可能部分に相当する記録ピットを光ディスクＤＫ上に形成する場合と視認可能部分以外の部分に相当する記録ピットを光ディスクＤＫ上に形成する場合とで、光ビームＢの記録パワー及び駆動信号Ｓpの波形の双方を異ならせるように夫々設定されて光ビームＢが出射されるので、視認可能部分の形成と記録情報Ｓrの記録特性（再生特性）の維持とを両立しつつ記録情報Ｓr記録用の記録ピットを用いて視認可能部分を形成することで、光ディスクＤＫ上の記録領域を無駄にすることなく良好な記録特性をもって記録情報Ｓrを記録すると共に、視認可能部分を明瞭に形成することができる。【００６８】
なお、第１実施形態に係る情報記録装置１００を用いた場合の例を、図７に示す。図７中の記録情報Srが記録されている部分Ａ２には、記録情報Ｓｒが併せて記録された視認可能部分とそれ以外の記録情報Ｓｒが記録されているのみの記録済部分とが交互に２度ずつ形成されていることが鮮明に視認可能となっている。【００６９】
また、記録情報Ｓrの記録において記録ピットを形成しない期間に条件の切り換えを行うので、当該条件の切換遷移期間中に記録ピットが形成されることによる記録情報Ｓrの記録特性の悪化を防止することができる。【００７０】
更に、視認可能部分に相当する駆動信号Ｓpのパルス波形と、それ以外の部分に相当する駆動信号Ｓpのパルス波形と、の間において、視認可能部分に相当する光ビームＢの記録パワーと、それ以外の部分に相当する光ビームＢの記録パワーと、の差異に対応してパルス幅が相違しているので、記録情報Ｓrの記録特性を良好に維持しつつ記録ピットを用いた視認可能部分を形成することができる。【００７１】
更にまた、各条件としてのパルス波形の夫々が、少なくとも最も小さい記録ピットに相当するパルス波形であるので、効果的に記録ピットの態様を変化させて視認可能部分を形成することができる。【００７２】
また、視認可能部分に相当する光ビームＢの記録パワーが従来の最適強度よりも強く、且つ視認可能部分以外の部分に相当する光ビームＢの記録パワーが当該最適強度よりも弱い場合、又はこの逆の場合のいずれであっても、視認可能部分以外の部分との対比で視覚上より明瞭に当該視認可能部分を形成することができる。【００７３】
更に、視認可能部分に相当する光ビームＢの記録パワーが従来の最適強度よりも強く且つ視認可能部分以外の部分に相当する光ビームＢの記録パワーが当該最適強度よりも弱い場合で、視認可能部分に相当する光ビームＢのパルス幅が従来よりも小さく且つ視認可能部分以外の部分に相当する光ビームＢのパルス幅が従来よりも大きいとき、又は、視認可能部分に相当する光ビームＢの記録パワーが従来の最適強度よりも弱く且つ視認可能部分以外の部分に相当する光ビームＢの記録パワーが当該最適強度よりも強い場合で、視認可能部分に相当する光ビームＢのパルス幅が従来よりも大きく且つ視認可能部分以外の部分に相当する光ビームＢのパルス幅が従来よりも小さいとき、のいずれであっても、視認可能部分以外の部分との対比で視覚上より明瞭に当該視認可能部分を形成することができる。【００７４】
更に、記録条件制御部１３内において、記録情報Ｓrの実際の記録前に光ビームＢを照射して各条件を設定するので、実際に記録情報Ｓrが記録される光ディスクＤＫに対して最適な各条件を夫々設定することができる。【００７５】
（II）第２実施形態
次に、本願に係る他の実施形態である第２実施形態について、図８乃至図９を用いて説明する。なお、図８は第２実施形態に係る情報記録装置における記録条件制御部の概要構成を示すブロック図であり、図９は当該情報記録装置における第２実施形態に係るＯＰＣ動作を示すフローチャートである。【００７６】
また、第２実施形態に係る情報記録装置における図８に示す部分以外の構成は、第１実施形態に係る情報記録装置１００の構成と同様であるので、細部の説明は省略する。更に、第２実施形態に係る記録処理において、図９に示す処理以外の部分（第１実施形態に係る記録処理における図３に示す部分及び図４に示すステップＳ１５乃至Ｓ１９の部分）においては、当該第１実施形態に係る記録処理と同様の処理が実行されるので、細部の説明は省略する。【００７７】
上述した第１実施形態においては、当該第１実施形態に係るＯＰＣ動作（図４ステップＳ１０乃至Ｓ１４参照）において、先ず最大記録パワー及び最小記録パワーを決定した（図４ステップＳ１３参照）上で、夫々に対応するパルス幅を決定した（図４ステップＳ１４参照）が、以下に説明する第２実施形態では、先ず視認可能部分を形成する際のパルス幅とそれ以外の部分を形成する際のパルス幅が夫々別個に予め決められており、夫々のパルス幅と実際に記録情報Ｓrが記録される光ディスクＤＫとの関係で各パルス幅に対応する記録パワーを夫々決定する。【００７８】
すなわち、第２実施形態に係る記録条件制御部２０は、図８に示すように、上記予め決定されているパルス幅を夫々記憶している第１ストラテジ設定部２０Ｄ及び第２ストラテジ設定部２０Ｃと、第１ストラテジ用記録パワー設定部２０Ｂと、第２ストラテジ用記録パワー設定部２０Ａと、スイッチ２０Ｅと、により構成されている。【００７９】
この構成において、第１ストラテジ用記録パワー設定部２０Ｂには、上記記録パワー選択部１２から出力されてくる第１ストラテジ用選択情報Ｓseli'により示される光ビームＢの記録パワーが記憶される。【００８０】
また、第２ストラテジ用記録パワー設定部２０Ａには、上記記録パワー選択部１２から出力されてくる第２ストラテジ用選択情報Ｓsela'により示される光ビームＢの記録パワーが記憶される。【００８１】
一方、スイッチ２０Ｅは、第１実施形態に係るスイッチ１３Ｅと同様に、制御信号生成部１０から出力されてくる記録条件制御信号Ｓcrに基づき、記録情報Ｓrの出力先を切り換え、第１ストラテジ設定部２０Ｄ又は第２ストラテジ設定部２０Ｃのいずれか一方に出力する。【００８２】
そして、スイッチ２０Ｅを介して記録情報Ｓrが第１ストラテジ設定部２０Ｄに出力されたときは、当該第１ストラテジ設定部２０Ｄは、当該記録情報Ｓrに対応して出射部２を駆動するためのパルス波形を有するストラテジ信号Ｓtr1'を生成する。このとき、当該ストラテジ信号Ｓtr1'におけるパルス幅は、上記した当該第１ストラテジ設定部２０Ｄに予め記憶されている駆動信号Ｓpのパルス幅に相当するように設定される。【００８３】
これにより、第１ストラテジ用記録パワー設定部２０Ｂは、第１ストラテジ設定部２０Ｄから出力されて来たストラテジ信号Ｓtr1'における振幅を、その時に第１ストラテジ用記録パワー設定部２０Ｂに記憶されている記録パワー（すなわち、第１ストラテジ設定部２０Ｄに予め記憶されているパルス幅に最適な記録パワー）に相当する振幅に変更し、上記第１ストラテジ用選択情報Ｓseli'により示されていた記録パワーに相当する振幅を有する駆動信号Ｓpを生成して上記出射部２に出力する。【００８４】
他方、スイッチ２０Ｅを介して記録情報Ｓrが第２ストラテジ設定部２０Ｃに出力されたときは、当該第２ストラテジ設定部２０Ｃは、当該記録情報Ｓrに対応して出射部２を駆動するためのパルス波形を有するストラテジ信号Ｓtr2'を生成する。このとき、当該ストラテジ信号Ｓtr2'におけるパルス幅は、上記した当該第２ストラテジ設定部２０Ｃに予め記憶されているパルス幅に相当するように設定される。【００８５】
これにより、第２ストラテジ用記録パワー設定部２０Ａは、第２ストラテジ設定部２０Ｃから出力されて来たストラテジ信号Ｓtr2'における振幅を、その時に第２ストラテジ用記録パワー設定部２０Ａに記憶されている記録パワー（すなわち、第２ストラテジ設定部２０Ｃに予め記憶されているパルス幅に最適な記録パワー）に相当する振幅に変更し、上記第２ストラテジ用選択情報Ｓsela'により示されていた記録パワーに相当する振幅を有する駆動信号Ｓpを生成して上記出射部２に出力する。【００８６】
次に、第２実施形態に係るＯＰＣ動作について、図９を用いて説明する。【００８７】
図９に示すように、第２実施形態に係るＯＰＣ動作においては、夫々のパルス幅に対応する最適な記録パワーを設定するための処理が同時並行的に実行される。【００８８】
すなわち、第１実施形態に係る記録処理におけるステップＳ１乃至Ｓ８の処理（図３参照）が終了すると、第１ストラテジ設定部２０Ｄに予め記憶されているパルス幅（視認可能部分又はそれ以外の部分のいずれか一方形成用のパルス幅）の駆動信号Ｓpを用いて従来と同様のＯＰＣ動作及び再生特性の確認を行い（ステップＳ２０、Ｓ２１）、最も再生特性が良好な時の記録パワーを第１ストラテジ設定部２０Ｄに予め記憶されているパルス幅に最適な記録パワーとして設定する（ステップＳ２２）と共に、第２ストラテジ設定部２０Ｃに予め記憶されているパルス幅（視認可能部分又はそれ以外の部分のいずれか他方形成用のパルス幅）の駆動信号Ｓpを用いて従来と同様のＯＰＣ動作及び再生特性の確認を行い（ステップＳ３０、Ｓ３１）、最も再生特性が良好な時の記録パワーを第２ストラテジ設定部２０Ｃに予め記憶されているパルス幅に最適な記録パワーとして設定し（ステップＳ３２）、その後、第１実施形態に係るステップＳ１５以降の処理（図４参照）に移行する。【００８９】
これ以降は、第１実施形態に係る記録処理と同様の記録処理が実行され、視認可能部分の形成を含む記録情報Ｓrの記録処理が実行される。【００９０】
以上説明した第２実施形態に係る情報記録装置における記録処理によっても、第１実施形態に係る情報記録装置１００における記録処理と同様の効果を奏することができる。【００９１】
（III）変形形態
次に、本願に係る変形形態について、図１０を用いて説明する。なお、図１０は変形形態に係る情報記録装置の概要構成を示すブロック図であり、第１実施形態に係る情報記録装置１００と同様の構成部材については、同様の部材番号を付して細部の説明を省略する。【００９２】
上述した各実施形態においては、光ビームＢの記録パワー及びそれに対応するパルス幅を切り換えるタイミングに相当する光ディスクＤＫ上の位置を、角度情報生成部８からの角度情報Ｓangを用いて制御信号生成部１０において判定する構成としたが、以下に説明する変形形態においては、当該位置を、光ディスクＤＫに予め記録されているアドレス情報（すなわち、光ディスクＤＫの情報記録面における記録位置を示すアドレス情報）を用いて判定する。【００９３】
すなわち、変形形態に係る情報記録装置２００は、図１０に示すように、第１実施形態に係る情報記録装置１００における角度情報生成部８に代えてアドレス位置算出部３０を備えている。【００９４】
この構成において、当該アドレス位置算出部３０は、アドレス情報検出部７から出力されてくるプリアドレス情報Ｓadr、半径位置検出部６から出力されてくる半径位置情報Ｓrpos及び駆動部１から出力されてくる回転角度情報Ｓaに基づき、プリアドレスの光ディスクＤＫ上の位置（半径位置および基準からの角度）を把握し、アドレス位置情報Ｓacalとして制御位置演算部１１へ出力する。【００９５】
これにより、制御位置演算部１１は、可視情報として光ディスクＤＫに記録情報Ｓrと共に記録すべき画像等の情報である表示画像情報Ｓv、上記確認情報Ｓvol並びに上記アドレス位置情報Ｓacalに基づき、当該可視情報を形成すべく光ディスクＤＫ上の領域を当該光ディスクＤＫのアドレス情報として特定すると共に、当該可視情報を形成する際に光ビームＢの記録パワー及びパルス幅を切り換える光ディスクＤＫ上のアドレスを示す上記制御アドレス情報Ｓcal’を生成して制御信号生成部１０に出力する。【００９６】
そして、制御信号生成部１０は、上記プリアドレス情報Ｓadrに基づき、光ビームＢの光ディスクＤＫ上の照射位置を常に認識する。これにより、制御信号生成部１０は、制御位置演算部１１から出力されてくる上記制御アドレス情報Ｓcal’と上記認識している光ビームＢの照射アドレスとに基づき、上記駆動信号Ｓpの振幅及びパルス波形を変更するタイミング等を示す記録条件制御信号Ｓcrを生成し、記録条件制御部１３に出力する。【００９７】
上述した以外の変形形態に係る記録処理は、例えば第１実施形態に係る情報記録装置１００における記録処理と同様であるので、細部の説明は省略する。【００９８】
以上説明した変形形態に係る情報記録装置２００における記録処理によっても、上述した各実施形態と同様の効果を奏することができる。【００９９】
なお、図３及び図４又は図９に示すフローチャートに対応するプログラムを、フレキシブルディスク又はハードディスク等の情報記録媒体に記録しておき、又はインターネット等を介して取得して記録しておき、これらを汎用のコンピュータで読み出して実行することにより、当該コンピュータを各実施形態に係る制御信号生成部１０等として活用することも可能である。
【図１】
0004422769.tif 000002
【図２】
0004422769.tif 000003
【図３】
0004422769.tif 000004
【図４】
0004422769.tif 000005
【図５】
0004422769.tif 000006
【図６】
0004422769.tif 000007
【図７】
0004422769.tif 000008
【図８】
0004422769.tif 000009
【図９】
0004422769.tif 000010
【図１０】
0004422769.tif 000011